(57)【特許請求の範囲】
【請求項１】
非満水用電磁流量計（１）の入口側に取付板（２Ａ）を固着するとともに、
該取付板（２Ａ）の、接続される管路（５）と対向する側に、環状のシール用ゴム（６Ａ）が固着してあって、
該シール用ゴム（６Ａ）の内周部にシール用ゴム（６Ａ）より剛性が大きい円筒状の部材（３Ｂ）を設けたことを特徴とする電磁流量計取付装置。
【請求項２】
前記円筒状の部材（３Ｂ）の軸方向長さ（Ｌ1 ）が、前記シール用ゴム（６Ａ）の軸方向長さ（Ｌ2 ）よりわずかに短かくて、
前記シール用ゴム（６Ａ）の前記管路（５）と接する付近の内周部には前記円筒状の部材（３Ｂ）が存在しないことを特徴とする請求項１記載の電磁流量計取付装置。
【請求項３】
前記円筒状の部材（３Ｂ）の内径が、前記非満水用電磁流量計（１）の測定管の内径（４）と同じかほぼ同じであることを特徴とする請求項１又は２記載の電磁流量計取付装置。
【発明の詳細な説明】
【０００１】
【産業上の利用分野】
本発明は下水道のマンホールに設置する電磁流量計の取付装置の改良に関するものである。
【０００２】
【従来の技術】
下水道の管路（下水管）を流下する下水の流量を計測するには、電磁流量計が用いられ、マンホール内に電磁流量計を設置することがある。
【０００３】
下水は、管路内を通常非満水状態で流れることが多く、場合によっては満水状態で流れることもある。そのため、特開平５−２２３６０５号公報で開示されているような、非満水状態から満水状態までの流量を計測できるいわゆる非満水用の電磁流量計が用いられている。
【０００４】
かかる非満水状態から満水状態までの流量を計測する非満水用電磁流量計１を下水道のマンホールに設置した状態を図５に示す。
２は非満水用電磁流量計１をマンホールの壁３に固定するための取付板で、非満水用電磁流量計１の入口側（図示左側）に固着されている。４は非満水用電磁流量計１の測定管の内周面（内径）を示す。５は下水道の管路で、その下流端開口部５ａがマンホールの壁３に開口している。
【０００５】
６は、環状のシール用ゴムで、管路５や非満水用電磁流量計１の測定管の内径とほぼ同径の内径を自由時に持っている。
取付板２は金属材料からなり、手前と後方に斜めの折曲部２ａと２ｂを有する全体がほぼ四角い板で、その中央には非満水用電磁流量計１の測定管の内径４と同じ径の穴２ｃが明けてある。
【０００６】
この穴２ｃと非満水用電磁流量計１の測定管とが同軸になるように取付板２が非満水用電磁流量計１の入口側に固着されている。
非満水用電磁流量計（以下単に電磁流量計と略記する）１をマンホール内に設置するには、シール用ゴム６を管路５の開口部５ａと取付板２との間に図示のように挾んで、取付板２の折曲部２ａ，２ｂに明けた孔に、マンホールに基部を埋めたアンカーボルト７を通し、ナット８で取付板２をマンホールの壁３に取付けることで行なう。
【０００７】
矢印Ａは管路５から電磁流量計１に流入する下水の流れを示す。
【０００８】
【発明が解決しようとする課題】
前記従来の技術では、電磁流量計取付板２をマンホールの壁３にしっかりと取付けるときに、環状のシール用ゴム６の図示断面形状が圧縮されてつぶれ、符号６ａで示す内周部が流路内へ膨出するように変形する。
【０００９】
このシール用ゴム６の変形で流路が部分的に狹められ、管路内を流れる異物が引っ掛かるという問題点があった。
また、この変形によって、流路形状が変って、流速分布、水位、動水勾配が変るため、正確な流量計測ができないという問題点があった。
【００１０】
更にまた、シール用ゴム６をマンホールの壁３と取付板２との間に狭んだ状態で、取付板２をアンカーボルト７とナット８でマンホールに設置するときに、シール用ゴム６を管路５と電磁流量計１の測定管と同軸心に位置決めし、作業中にシール用ゴム６がずり落ちないようにするには、注意深いかつ面倒な取付作業が要求されるという問題点もあった。
【００１１】
かかる問題点を軽減するために、シール用ゴム６の内周部６ａを外径方向へ押し出すように作業者が手作業でシール用ゴム６の圧縮後の形状を修正することをすることもあるが、多大の時間を要し、工事費用が増大するため、やはり問題点が残されていた。
【００１２】
そこで、本発明はこれらの問題点を解消できる電磁流量計取付装置を提供することを目的とする。
【００１３】
【課題を解決するための手段】
前記目的を達成するために、請求項１記載の電磁流量計取付装置は、非満水用電磁流量計（１）の入口側に取付板（２Ａ）を固着するとともに、
該取付板（２Ａ）の、接続される管路（５）と対向する側に、環状のシール用ゴム（６Ａ）が固着してあって、
該シール用ゴム（６Ａ）の内周部にシール用ゴム（６Ａ）より剛性が大きい円筒状の部材（３Ｂ）を設けたことを特徴とするものである。
【００１４】
請求項２記載の発明は、請求項１記載の電磁流量計取付装置において、前記円筒状の部材（３Ｂ）の軸方向長さ（Ｌ1 ）が、前記シール用ゴム（６Ａ）の軸方向長さ（Ｌ2 ）よりわずかに短かくて、
前記シール用ゴム（６Ａ）の前記管路（５）と接する付近の内周部には前記円筒状の部材（３Ｂ）が存在しないことを特徴とするものである。
【００１５】
そして、請求項３記載の発明は、請求項１又は２記載の電磁流量計取付装置において、前記円筒状の部材（３Ｂ）の内径が、前記非満水用電磁流量計（１）の測定管の内径（４）と同じかほぼ同じであることを特徴とするものである。
【００１６】
【作用】
請求項１記載の電磁流量計取付装置では、取付板（２Ａ）に環状のシール用ゴム（６Ａ）が保持されているため、シール用ゴム（６Ａ）の位置合わせに気を使う必要もなく、また、円筒状の部材（３Ｂ）がシール用ゴム（６Ａ）の流路内方向への膨出を防止する。
【００１７】
請求項２記載の電磁流量計取付装置では、更にシール用ゴム（６Ａ）の先端部内周部に剛性の大きい円筒状の部材（３Ｂ）が存在しないので、シール用ゴム（６Ａ）の先端部が流量計取付時に効果的に圧縮されて、水洩れを確実に防止する。また、シール用ゴム（６Ａ）の先端部の形状・寸法の自由度が高く、製作が容易になる。
【００１８】
請求項３記載の電磁流量計取付装置では、更に、流体が管路から円筒状の部材（３Ｂ）の流路を通って電磁流量計（１）の測定管へと滑らかに流れるため、流量計測精度を損なわない。
【００１９】
【実施例】
図１（ａ）（ｂ）は本発明の第１実施例で、１は電磁流量計、２Ａは電磁流量計１の入口側（図示左側）に固着された金属材料からなる取付板で、中央に図示左側へ突出する円筒状の部材３Ｂを一体的に備えている。
【００２０】
円筒状の部材３Ｂの内径は、電磁流量計１の測定管の内径４と同径・同軸心に定めてある。６Ａは環状のシール用ゴムで、円筒状の部材３Ｂの外周にしっくりと嵌合されている。
【００２１】
シール用ゴム６Ａの軸方向（図示左右方向）長さＬ2 は、円筒状の部材３Ｂの軸方向（図示左右方向）長さＬ1 よりわずかに長く定めてあり、シール用ゴム６Ａの左端（先端）部の一部は、Ｌ2 −Ｌ1 の長さだけに亘って円筒状の部材３Ｂが嵌っていない。
【００２２】
取付板２Ａの手前部分と後部には斜めの折曲部２ａ，２ｂが形成され、これらの折曲部には、前記アンカーボルト７を通すボルト孔としての切欠２ｃが各３個ずつ設けてある（図１（ｂ））。
【００２３】
図１（ａ）のように、取付板２Ａをアンカーボルト７とナット８でマンホールの壁３に取付けることで、シール用ゴム６Ａの先端（左端）がマンホールの壁３に押し付けられて圧縮され、水洩れを防止する。円筒状の部材３Ｂは剛性の大きい金属材料で構成されているので、取付時におけるシール用ゴム６Ａの内周方向への膨出変形を阻止する。
【００２４】
矢印Ａは下水の流れを示す。
図２は本発明の第２実施例で、円筒状の部材３Ｂを有する取付板２Ａとドーナッツ状円板形のフランジ９との間に電磁流量計１が狭んであり、基端（図示左端）を取付板に溶着した４本のボルト１０とナット１１で電磁流量計１をきつく狭着している。
【００２５】
円筒状の部材３Ｂの外周には、前記第１実施例と同様に環状のシール用ゴム６Ａがきつく嵌合している。１２は取付板２Ａのボルト孔に挿通した６本のボルトで、図示されてないマンホールの壁に埋めたナットにこれらのボルトをねじ込んで、取付板２Ａを固定して、電磁流量計１をマンホールに設置する。
【００２６】
図３は、本発明の第３実施例で、電磁流量計１は、金属材料からなる外形が四角い取付板２Ａの右側へ突出形成された３個の案内２ｄによって案内されて位置決めされ、ねじ１３で取付板２Ａに固着される。
【００２７】
取付板２Ａの片側には、前記第１、第２実施例と同様に円筒状の部材３Ｂが突出形成され、該円筒状の部材３Ｂに環状のシール用ゴム６Ａが嵌合している。
取付板２Ａをマンホールの壁に取付固定するには、マンホールの壁に埋め込んだナットに４本のボルト１２を螺合してしめ付けることで装着する。
【００２８】
図４は本発明の第４実施例で、図３の第３実施例と比較して、電磁流量計１が取付板２Ａに着脱可能に固着してある点だけが異なる。即ち、取付板２Ａと電磁流量計１に取付けたバックル１３が、電磁流量計１を取付板２Ａに着脱可能に固着する。
【００２９】
【発明の効果】
本発明の電磁流量計取付装置は上述のように構成されているので、請求項１記載の発明では、電磁流量計をマンホール内に設置するに際して、シール用ゴムの位置決めに苦労することもなく、またシール用ゴムが流路内に膨出して流路形状を変えることもない。
【００３０】
従って、電磁流量計を設置する工事が容易になり、かつ流量計測精度へのシール用ゴムの変形による悪影響もなくなり、正確な流量計測ができる。
また、シール用ゴムが変形して異物が引っ掛かる虞れもなくなるため、この面からも、計測精度が向上する。
【００３１】
また、設置時に、従来技術のようにシール用ゴムが内周側に膨出したのを修正する作業も不必要となり、この面からも取付工事が楽になる。
請求項２記載の発明では、更に、シール用ゴムのシール効果を損なうことなく、シール用ゴムの形状・寸法の自由度が高くなるため、製作が容易になる。
【００３２】
請求項３記載の発明では、管路から円筒状の部材（３Ｂ）を通って、電磁流量計（１）の測定管内へ流れが乱されることなく流れるため、特に流速分布の影響を受けて計測精度が悪くなり易い非満水用電磁流量計の計測精度を損なう虞れがない。
【図面の簡単な説明】
【図１】本発明の第１実施例で、（ａ）は一部分を水平に切断した一部縦断平面図、（ｂ）は取付部材の斜視図である。
【図２】本発明の第２実施例の斜視図である。
【図３】本発明の第３実施例の斜視図である。
【図４】本発明の第４実施例の斜視図である。
【図５】従来技術の一部縦断平面図である。
【符号の説明】
１  電磁流量計
２  取付部材
３Ｂ  円筒状の部材
４  内径
Ｌ1 ，Ｌ2   軸方向長さ
【図１】
0003563801.tif 000002
【図２】
0003563801.tif 000003
【図３】
0003563801.tif 000004
【図４】
0003563801.tif 000005
【図５】
0003563801.tif 000006